(57)【要約】【課題】目盛板が直線状に出張ることなく目盛表示できるようにして、測定値が迅速且つ正確に直読できるキャリパス寸法測定器を提供する。【解決手段】先端測定部が内側又は外側へ湾曲した双脚の測定子１，２を開閉可能に軸３で支持したキャリパスにおいて、片方の測定子１の後端部に前記軸３を中心として円弧状に歯１ｂを形成し、別方の測定子２の後端部には円板状の基板２ｂを形成して、該基板の中心に前記歯１ｂと噛み合わせる歯車４を回転可能に軸支すると共に、基板２ｂの裏方に、基板の外径と略同径の円周壁を有するカップ７を設けて歯車４ｂをカップ７内の中心に突き出し、カップ内で螺旋状に切断された目盛板８を取付け、蓋９でカップ７の開口部閉塞して、目盛板８の外径部から蓋９の切れ目９ａを通して螺旋状に表出させるようにしたキャリパス寸法測定器。【選択図】図１
2005181247.tif 000002
【特許請求の範囲】
【請求項１】
先端測定部が内側又は外側へ湾曲した双脚の測定子を開閉可能に軸で支持したキャリパスにおいて、片方の測定子の後端部に前記軸を中心として円弧状に歯を形成し、別方の測定子の後端部には円板状の基板を形成して、該基板の中心に前記歯と噛み合わせる歯車を回転可能に軸支すると共に、歯車に、螺旋状に切断して寸法目盛を符した目盛板を取付け、切れ目を設けた蓋で被覆してなることを特徴とするキャリパス寸法測定器。
【請求項２】
円板状の基板の裏方に、基板の外径と略同径の円周壁を有するカップを設けて歯車軸をカップ内の中心に突き出し、カップ内で歯車軸に目盛板の内径部を取付け固定して、切れ目を設けた蓋でカップの開口部を閉塞するようにして被覆してなることを特徴とする請求項１記載のキャリパス寸法測定器。
【請求項３】
円板状の基板とカップとの間にバネ座金を介在させ、基板とカップがバネ圧を受けて円周方向に回動調整可能に取付けてなることを特徴とする請求項１又は請求項２記載のキャリパス寸法測定器。
【請求項４】
歯車にゼンマイバネの内径端部を取付け固定し、ゼンマイバネの外径端部をカップの内周壁に取付け固定してなることを特徴とする請求項１乃至請求項３のいずれか１項に記載のキャリパス寸法測定器。
【発明の詳細な説明】
【技術分野】
【０００１】
本発明は、測定時の寸法測定値を螺旋状に切断した目盛板に表示して直読できるようにしたキャリパス寸法測定器に関するものである。
【背景技術】
【０００２】
ノギスやスケール等で測定できない凹んだ部分の寸法は、キャリパス（単にパスとも言う）が使用されており、凹んだ部分の厚さや幅、外径等を測定するものを外パス、内径等を測定するものを内パスと称し、片端部がピンでコンパス状に枢軸された双脚の測定子を開閉させることにより測定子の先端部を測定部位に当てて測定するが、従来のキャリパスによれば測定時の寸法をそのまま表示できず、スケールやノギス等による間接的な測定を行わなければならないことから甚だ面倒であるや、測定誤差が生じやすく、迅速にして且つ正確に測定できない。
【０００３】
上記改善策として、ピンで枢軸された双脚の測定子の側点部又は測定部と反対側に目盛やスケール等を設けて、測定値が直読できるようにした厚さ計測具や寸法測定器が開示されている。（例えば、特許文献１，特許文献２参照）
【０００４】
【特許文献１】実用新案登録第３０６２３７３号公報
【特許文献２】実用新案出願公開昭６１−１５８８０２号公報
【発明の開示】
【発明が解決しようとする課題】
【０００５】
しかしながら、上記開示された厚さ測定具や寸法測定器における寸法測定は、目盛やスケール等が略直線状に設けられて測定するようにしてあり、測定寸法が大きくなると目盛やスケール等の部分を長くして設けなければならず、長くした部分が邪魔になったり、コンパクトにできないなどの問題点があり、従って本発明の課題は、このような問題点を解決して、測定値を迅速且つ正確に直読し得るキャリパス寸法測定器を提供することを目的とする。
【課題を解決するための手段】
【０００６】
上記目的を達成するため、本発明は以下に記載するような手段を講じてなることを特徴とするキャリパス寸法測定器とした。
すなわち、
（１）先端測定部が内側又は外側へ湾曲した双脚の測定子を開閉可能に軸で支持したキャリパスにおいて、片方の測定子の後端部に前記軸を中心として円弧状に歯を形成し、別方の測定子の後端部には円板状の基板を形成して、該基板の中心に前記歯と噛み合わせる歯車を回転可能に軸支すると共に、歯車軸に、螺旋状に切断して寸法目盛を符した目盛板を取付け、切れ目を設けた蓋で被覆してなることを特徴とするキャリパス寸法測定器である。
そして、前記測定子の開閉により歯車を回転させ、歯車軸に取付けられた目盛板を回すことにより、蓋の切れ目を通して目盛板の外径部から螺旋状に表出させて寸法の測定値が直読できるようにした。
【０００７】
（２）円板状の基板の裏方には、基板の外径と略同径の円周壁を有するカップを設けて歯車軸をカップ内の中心に突き出し、カップ内で歯車軸に目盛板の内径部を取付け固定して、切れ目を設けた蓋でカップの開口部を閉塞するようにして被覆してなることを特徴とる前項（１）記載のキャリパス寸法測定器であり、目盛板に符した寸法目盛が蓋により被覆され、測定に応じて寸法目盛が蓋の表面に表出して、蓋の切れ目位置で寸法の測定値を読み取るようにした。
【０００８】
（３）円板状の基板とカップとの間にバネ座金を介在させ、基板とカップがバネ圧を受けて円周方向に回動調整可能に取付けてなることを特徴とする前項（１）又は（２）記載のキャリパス寸法測定器であり、測定誤差が生じた時は測定値と目盛板の目盛を一致させるため零調整ができるようにすると共に、測定においてはバネ圧により基板とカップとが相互にずれることのないように保持されるようにした。
【０００９】
（４）歯車軸にゼンマイバネの内径部の端部を取付け固定し、ゼンマイバネの外径部の端部をカップの内周壁に取付け固定してなることを特徴とする前項（１）乃至（３）のいずれか１項に記載のキャリパス寸法測定器であり、測定子の後端部に形成された歯と噛み合わせた歯車との噛み合わせ隙間（バックラッシ）による誤差が生じないようにした。
【発明の効果】
【００１０】
本発明は、先端測定部が内側又は外側へ湾曲した双脚の測定子を開閉可能に軸で支持したキャリパスにおいて、片方の測定子の後端部に前記軸を中心として円弧状に歯を形成し、別方の測定子の後端部には円板状の基板を形成して、該基板の中心に前記歯と噛み合わせる歯車を回転可能に軸支すると共に、歯車軸に、螺旋状に切断して寸法目盛を符した目盛板を取付け、切れ目を設けた蓋で被覆してなることを特徴とするキャリパス寸法測定器であり、測定子の開閉により歯車を回転させて、歯車軸に取付けられた目盛板を回し、該目盛板を被覆した蓋の切れ目を通して外径部から螺旋状に表出させることにより、寸法の測定値が直読できるようにしたものであるから、目盛板が１回転以上しても目盛が重なることはなく表示できて寸法の測定値が迅速に直読できると共に、螺旋状に切断した目盛板に目盛を符すから、目盛を符す範囲が長くとれて、測定寸法が大きくても目盛表示部はコンパクトにでき、且つ直線状に出張らない。
【００１１】
又、円板状の基板とカップとの間にバネ座金を介在させ、基板とカップがバネ圧を受けて円周方向に回動調整可能に取付けたり、歯車軸にゼンマイバネの内径端部を取付け固定し、ゼンマイバネの外径端部をカップの内周壁に取付け固定することにより、測定誤差が生じた時の調整が容易にできると共に、測定子の後端部に形成された歯と歯車との噛み合わせ隙間（バックラッシ）による誤差が生じず正確な寸法測定値が得られる。
などの効果を奏する。
【発明を実施するための最良の形態】
【００１２】
本発明を実施するための最良の形態は、先端測定部が内側又は外側へ湾曲した双脚の測定子を開閉可能に軸で支持したキャリパスにおいて、片方の測定子の後端部に前記軸を中心として円弧状に歯を形成し、別方の測定子の後端部には円板状の基板を形成して、該基板の中心に前記歯と噛み合わせる歯車を回転可能に軸支すると共に、基板の裏方に、基板の外径と略同径の円周壁を有するカップを設けて歯車軸をカップ内の中心に突き出し、カップ内で目盛板を取付け固定して、切れ目を設けた蓋でカップの開口部を閉塞して被覆したキャリパス寸法測定器であり、以下実施例にて図面に基づき説明する。
【実施例１】
【００１３】
図１は、本発明の実施例を示す図面であり、（Ａ）はその斜視図、（Ｂ）は要部の側断面図である。
双脚の測定子１，２の先端は測定部１ａ，２ａが内側へ湾曲した外キャリパス（外パス）用であり、該測定子１，２は軸３で開閉可能に軸支され、測定子１は後端部に前記軸３を中心として円弧状に歯１ｂが形成され、測定子２は後端部に円板状の基板２ｂが形成されていて、基板２ｂの中心には前記歯１ｂと噛み合わせる歯車４が、基板２ｂの上面に取付けられた軸受プレート５と下面に取付けられた軸受円盤６で歯車軸４ａが軸支されて回転可能に設けられている。
【００１４】
前記基板２ｂの裏方には、基板２ｂの外径と略同径の円周壁を有するカップ７が設けられ、前記歯車軸４ａはカップ７内の中心に突き出されており、カップ内で歯車軸４ａに目盛板８が取付け固定され、切れ目を設けた蓋９でカップ７の開口部を閉塞するようにして被覆している。目盛板８は螺旋状に切断されて寸法目盛が符されており、歯車軸４ａの回転により目盛板８が回転すると外径部から蓋９の切れ目９ａを通って表出され、該切れ目位置で目盛板８に符された目盛を読み取ることにより測定値が得られるようにしてある。
【００１５】
前記基板２ｂとカップ７との間には薄板のバネ座金１０を介在させて、基板２ｂとカップ７が、複数箇所（本実施例では３箇所）のネジ１１，…で組立てられており、該ネジ組立用の穴をカップ７に図２に示すように長穴７ａ，…にして組立てることでバネ座金１０のバネ圧を受けて円周方向に回動調整可能としている。
【００１６】
又、歯車軸４ａには、ゼンマイバネ１２が取付けられ、該ゼンマイバネの内径端部１２ａが止め部材１３を介して取付け固定され、ゼンマイバネ１２の外径端部１２ｂがカップ７の内周壁７ｂに取付け固定されており、歯車４と測定子１の後端部に形成された歯１ｂとの噛み合わせ隙間（バックラッシ）による誤差が生じないようにしてある。
【００１７】
図３は目盛表示の要部平面図であり、蓋９の一部が破断されてカップ７内が実線で表われている。目盛板８は螺旋状に切断されて目盛が符されており、目盛板８の内径部８ａが歯車軸４ａに取付け固定され、歯車軸４ａの回転により目盛板８の外径部８ｂから蓋９の切れ目９ａを通って蓋９の表面に表出されており、切れ目９ａの位置で目盛板８に符された目盛数値を読み取ることにより測定値が得られる。
【００１８】
このように螺旋状に切断した目盛板８に目盛を符すことにより、長い範囲で目盛が表示でき、且つ目盛板８が１回転以上しても目盛は重なることはないので、大きい寸法を測定するのに有利となり、又、目盛板が直線状に突き出ることはないので邪魔にならず、スマートにカップ内に収納されてコンパクトにできる。
【００１９】
図４は、以上のようにしてなる本発明の目盛表示平面図であり、（ａ）は測定部１ａ，２ａを内側へ湾曲させて、例えば凹んだ部分の厚さや幅及び外径等の寸法を測定するのに供する外キャリパス（外パス）寸法測定器であり、（ｂ）は測定部１ａ，２ａを外側へ湾曲させて、例えば凹んだ部分の穴の内径等を寸法測定するのに供する内キャリパス（内パス）寸法測定器である。
【００２０】
図示する如く、使用する際は目盛板を上面にして測定子１，２の測定部１ａ，２ａを前方に向けて測定子１，２を開閉することにより被測定物の測定部位（図示せず）に測定部１ａ，２ａの先端を押し当てた状態で目盛板８の目盛が蓋９の切れ目９ａに位置するところの数値を読み取る。測定寸法が大きくなるに従って目盛板８は外径部から内径部へ螺旋状に重なることなく表出するので、その時の測定寸法は内径部の目盛が切れ目９ａに位置するところの数値を読み取ることにより直読できる。
【産業上の利用可能性】
【００２１】
双脚の測定子を被測定物に合わせた形状にして測定子の開閉角度に合わせて目盛板の目盛を角度で表示するようにすれば、角度測定器や角度定規としても利用の可能性がある。
【図面の簡単な説明】
【００２２】
【図１】本発明の実施例を示す図面で、（Ａ）は斜視図、（Ｂ）は要部側断面図である。
【図２】図１の（Ｂ）におけるＴ−Ｔ断面図である。
【図３】目盛表示の要部平面図である。
【図４】本発明の目盛表示面の平面図で、（ａ）は外キャリパス（外パス）寸法測定器、（ｂ）は内キャリパス（内パス）寸法測定器である。
【符号の説明】
【００２３】
１，２  測定子
１ａ，２ａ  測定部
１ｂ  歯
２ｂ  基板
３  軸
４  歯車
４ａ  歯車軸
５  軸受プレート
６  軸受円盤
７  カップ
７ａ  長穴
７ｂ  内周壁
８  目盛板
８ａ  内径部
８ｂ  外径部
９  蓋
９ａ  切れ目
１０  バネ座金
１１  ネジ
１２  ゼンマイバネ
１２ａ  内径端部
１２ｂ  外径端部
１３  止め部材
【図１】
2005181247.tif 000003
【図２】
2005181247.tif 000004
【図３】
2005181247.tif 000005
【図４】
2005181247.tif 000006